(57)【要約】【課題】  この発明は、二次的な爪の歪曲変形の発症を抑制しながら巻き爪矯正の治療が行える、巻き爪矯正具に関する。【解決手段】  爪の先端部２４側からで、且つ両側爪縁部２２方向略角に夫々挟着することで巻き爪が矯正される断面略Ｃ字状の挟持型矯正部１と、該矯正部１と該矯正部１の間で渡設できる長さで、且つ爪形の歪曲変形を抑制する該耐歪曲部２とで構成されている。該耐歪曲部２の両側端部と両側爪縁部とを該矯正部１によって、夫々挟着されて使用する。【選択図】図１
2015089503.tif 000002
【特許請求の範囲】
【請求項１】
巻き爪へ挟着することで略平状へ矯正できる弾性能を有する材によって断面略Ｃ字状に成形された少なくとも２つ以上で成す挟持型の矯正部を用いて、
爪の先端側で且つ巻き爪を発症している両側略爪縁部と、
爪の歪曲変形を抑制できる程度に強化された弾性能を有する材を用いて平板状または線状または細工ばね状に成形された略爪幅長の耐歪曲部とを、括着することで、
矯正中の二次爪変形を抑制した矯正治療ができることを特徴とする巻き爪矯正具。
【請求項２】
左右の爪縁部の夫々に対向して配設された、爪の外側から内方に向いた爪掛け用フック状の係止部と、
該係止部のフック状成形側の反対側には、係止される巻き爪の略円弧長で、
且つ爪内方向に湾曲変形した爪縁部を矯正する外方向へ付勢させる弾性能を有する材を用いて平板状または線状または細工ばね状に成形された弾性取手部とが、
一体で成形されたことで矯正部を成し、
左右爪縁部に夫々係止される該矯正部と該矯正部の間に、請求項１に記載の該耐歪曲部を爪甲側に渡設して固着することで成すことを特徴とする、巻き爪矯正具。
【請求項３】
請求項１に記載の耐歪曲部の長手方向両側端部から内方向へ向かって、
少なくとも夫々巻き爪の略円弧長で、且つ爪内方向に湾曲変形した爪形を矯正する爪外方向へ付勢させる弾性力を強化された平板状または線状または細工ばね状に成形された弾性矯正部が一体で成すよう形成され、
爪甲２６面部へ固着して成すことを特徴とする、巻き爪矯正具。
【請求項４】
左右の爪縁部の両側に夫々対向して配設された、断面略Ｃ字状に成形された左右で一対を成す挟持型係止部を用いて、
請求項３に記載された巻き爪矯正具の爪幅方向の左右夫々両側端部と、該爪縁部とを
括着し固定することで成すことを特徴とする、巻き爪矯正具。
【請求項５】
略平板状に形成された請求項３に記載の巻き爪矯正具に具備する少なくとも耐歪曲部には長手方向に摺動孔または案内溝を穿設され、
該設内を摺動自在に挿通可能とする棒状または線状または板状の少なくともその一部に引張り弾性体を具備し、またその長手方向両側端部には爪両側部を係止できる対称的に内方に向いたフック状の係止部が一体で具備されて成すことを特徴とする、巻き爪矯正具。
【発明の詳細な説明】
【技術分野】
【０００１】  本発明は、二次的な爪変形の発症を抑制しながら巻き爪矯正の治療が行える、巻き爪矯正具に関する。
【背景技術】
【０００２】  ポインテッドトゥ靴のようにファッション性を重視した、例えばハイヒールなどに多く見られるつま先の狭い靴を履き続けると、図８に示すように、第一趾の爪が靴の甲皮や隣接する指などの外圧を受け、湾曲状に変形し、さらにこのような靴を履き続けると巻き爪を発症してしまう。また巻き爪の湾曲がさらに強く表れると、爪溝に爪縁部が食い込み、軟部組織を刺激し激痛を起こし、時には腫脹が強く表れたり、さらに悪化すると裂傷を招いたりすることで、歩行ばかりか、立ち上がることさえ困難なことになる。糖尿病の患者はこの巻き爪が原因で指や足が壊死を起こし、切り落とさなければならなくなる場合があるので、湾曲状の爪変形は早期に処置を施す必要がある。【０００３】  また従来の矯正具を用いた場合、矯正治療中に二次的な爪変形を誘発し、治療期間が延びたり、治療後の爪形の見栄えが悪かったりする問題がある。
例えば、（特許文献１）、（特許文献２）、（特許文献３）、（特許文献４）のような巻き爪部を片側爪縁部毎個別に略平状へ伸ばした状態で固定保持する矯正具の場合は、図６（ａ）に示すような外圧が矯正部へ掛かると、図６（ｂ）に示されたように矯正具の爪甲側端部を支点に爪縁部側端部が押圧され爪形が「へ」の字に屈曲してしまうのが欠点である。
また、両側爪縁部へフック状を引っ掛けて弾性作用を用いて矯正治療を行う（特許文献５）、（特許文献６）、（特許文献７）、（特許文献８）、（実用新案文献９）などは、図７（ａ）に示されたように爪幅方向左右の両側爪縁部を爪甲の中央部に引き寄せあう引張り弾性の付勢を用いて矯正治療しているため、図７（ｂ）に示されたように爪甲面に歪みが発生しやすい欠点がある。
【特許文献１】特開２００２−３６０６１９号公報
【特許文献２】特開２０１３−９０８９５号公報
【特許文献３】特開２０１０−６３８５８号公報
【特許文献４】特開２００２−３６０６１９号公報
【特許文献５】特開２００３−１０２１８号公報
【特許文献６】特開２００７−１４４０８０号公報
【特許文献７】特開２０１０−１５５０５９号公報
【特許文献８】特開２００３−２６５５０８号公報
【実用新案文献９】
実案登録３０７２１９１号公報
【発明の開示】
【発明が解決しようとする課題】
【０００４】  従来の巻き爪矯正具を用いた治療は、例えば、図６（ａ）に示すような、片側爪縁部に発症している巻き爪の湾曲部を、該爪縁部の脆性化を鑑みながら矯正具を用いて略平状に起こした後、矯正具を固定して矯正治療する手段があるが、該巻き爪を発症させた外圧が爪縁部に掛かる同環境下での治療においては、図６（ｂ）に示すように、矯正具の爪縁部側端部へ該外圧が掛かり、爪変形していなかった爪甲部が「への字」形のような二次的な屈曲状の爪変形を発症することで、美容上の問題だけでなく、治療期間の延長につながることで経済的においても、さらなる患者への負担増の問題を引き起こす。【０００５】  また、例えば、図７（ａ）に示すような、爪の両端部にフックを用いて弾性ワイヤを取り付けて、爪甲内方向へ引っ張り弾性が付勢することで矯正する手段がある。しかし、この治療では、図７（ｂ）に示すように爪甲が波打つように二次的な歪曲状の爪変形を発症することで、美容上の問題だけでなく完治までの時間を遅らせることもあるので、前述の矯正手段同様、必ずしも適切な処置とはいえない。
本発明は、上記の問題点を解決する巻き爪矯正具を提供することにある。
【課題を解決するための手段】
【０００６】  以上の課題を解決するため、本発明に掛かる矯正方法を図１が示す巻き爪矯正具Ａの一例で説明すると、巻き爪矯正具Ａの矯正部１は、弾性能を有する金属または樹脂またはエラストマーまたは形状記憶合金または形状記憶樹脂を用いて、爪幅方向に長く且つ短手方向断面略Ｃ字状に成形され、爪の先端側２４からで、且つ巻き爪症状の進行から鑑みられた両側の爪縁部２２の適宜位置に夫々対で挟着されたことで、略平状へ矯正できる挟持型で成している。
また耐歪曲部２は、歪曲変形を抑止できる剛性能を強化された弾性を有する金属または樹脂またはエラストマーまたは形状記憶合金または形状記憶樹脂を用いて、爪幅方向に長い平板状または線状または細工ばね状に成形され、付設方法は両側該矯正部１−１の間で且つ爪甲２６側に渡設するように該矯正部１を用いて挟着されて成すが、爪形によっては接着剤により爪甲２６の表面に貼着されて具備されてもよい。このような構成で巻き爪矯正具Ａは成している。【０００７】  請求項１の巻き爪矯正具Ａの構成によれば、矯正治療中に発症する二次的な歪曲変形を解決する手段として、爪甲２６面上に歪曲を抑止できる強度で形成された耐歪曲部２を渡設することにより、外圧による爪甲２６の屈曲を抑止するだけでなく、引張り弾性を用いた矯正治療においては左右の爪縁部２２−２２間の距離を一定に保てることで、爪甲２６を常に略平状に保つことができるため、折曲や歪みのない平滑な爪修復を提供する矯正治療が行える。【０００８】  図２は請求項２の発明の一例で、巻き爪矯正具Ｂの様態と使用例を示している。
該巻き爪矯正具Ｂは、爪の先端が伸びておらず請求項１の矯正具の装着が困難な場合に用いるとよい。形状は、左右の爪縁部２２の夫々に係止される、爪の外側から内方に向いた爪掛け用フック状の係止部３と、該係止部３のフック状成形側の反対側には、係止される巻き爪の円弧の略長さで、且つ爪内方向に湾曲状変形した爪縁部２２を矯正する外方向へ付勢させる弾性材を用いて平板状または線状または細工ばね状で成形された弾性取手部４とが、一体で成形されたことにより矯正部１を成し、左右爪縁部２２に夫々係止される両側該矯正部１−１の間に該耐歪曲部２を爪甲２６側で渡設して設けられたことで、爪甲２６部に発症する二次的な変形を抑制した巻き爪の矯正治療ができることを特徴とする。【０００９】  請求項２の発明の構成によれば、矯正治療中に発症する二次的な歪曲変形を解決する手段として、左右の両側爪縁部２２へ夫々配設された該矯正部１−１の間に耐歪曲部２を渡設して矯正治療を行うことで、左右の爪縁部２２−２２間の距離が保てるため、矯正治療中に発症する二次的な爪変形２７を抑止し、爪甲２６部に歪のない平滑な爪形へ修復ができることを特徴とする。【００１０】  図３は請求項３発明の一例で、巻き爪矯正具Ｃの様態と使用例を示している。
該巻き爪矯正具Ｃは、湾曲状変形した爪形を爪外方向に付勢させる弾性矯正部５を、略爪幅長さで成形された請求項１に記載の耐歪曲部２の長手方向両側端部から内方に向かって、夫々は巻き爪の略円弧の長さで具備して成している。該巻き爪矯正具Ｃは、爪甲２６面へ固着して設けられたことで、爪甲２６部の二次的な変形を抑制しながら巻き爪の矯正治療ができることを特徴とする。【００１１】  請求項３の発明の構成によれば、爪の先端が伸びておらず、爪縁部２２も爪郭２１が腫脹しているため請求項２の係止部３の装着が困難な場合に用いるとよい。
なお耐歪曲部２を具備しない平板状の弾性板で形成された矯正具（支点−作用点の距離は爪の中央から片側爪縁部までと考えられる）に比べ、本発明の矯正具で同等の弾性力を得る場合、本矯正具の一例図３においては、耐歪曲部２の両側端部へ巻き爪の略円弧長の片持ち板状弾性体で形成した弾性矯正部５を夫々に具備したものなので、従来の一枚物の矯正具の曲げ応力と比較して、支点（固定端）から作用点（自由端）までの距離が短く設計できるため材料の厚さを薄く形成できので、これにより腫脹した爪郭２１が爪縁部２２との隙間をほとんど塞いでいる場合においても、薄く形成された弾性矯正部５は該隙間に挿着する際、患部の接触痛を軽減できる。これにより治療を拒んでいた痛みを怖がる患者の巻き爪治療において、平滑な爪形修復だけでなく精神的にも軽減できる効果がある。【００１２】  図４は請求項４発明の一例で、巻き爪矯正具Ｄの様態と使用例を示している。
請求項４の発明の巻き爪矯正具Ｄは、爪奥行き方向に長く且つ短手方向断面略Ｃ字状に成形された挟持型係止部６が左右の両側爪縁部２２の夫々に配設され、また爪幅方向で渡設できる長さに調整された請求項３に記載の耐歪曲矯正部７の長手方向左右夫々端部と、左右夫々の爪縁部２２とを、該挟持型係止部６を用いて挟着することで、矯正治療中の二次的な爪変形を抑制しながら巻き爪矯正が行われることを特徴とする。【００１３】  請求項４の発明の構成によれば、請求項３の発明の巻き爪矯正具Ｃを用いた矯正治療の場合は、弾性矯正部を爪へ接着剤を用いて固着した矯正治療であるがゆえ、該矯正具を固定する接着剤の塗布面積の小さいために剥離が起こりやすい。とくに長期治療を必要とする重症の巻き爪の場合において、接着剤などの化学的接合手段を用いた固定による矯正効果の安定性を鑑みた際、不向きといえる。そのことからも、本発明の巻き爪矯正具Ｄの挟持具等の機械的接合手段を用いて容易に分離できないように固定する方が接合部の信頼性を高くすることができる。このため、軽度の巻き爪から重度の強く湾曲変形した巻き爪の矯正治療にまで広く利用できる。【００１４】  図５は請求項５発明の一例で、巻き爪矯正具Ｅの様態と使用例を示している。
請求項３の発明の巻き爪矯正具Ｃが具備する耐撓曲矯正部７の少なくとも耐歪曲部５の長手方向で穿設された摺動孔８内へ、摺動自在に挿通された、巻き爪を矯正できる弾性能を有する金属または樹脂またはエマストラーまたは形状記憶合金または形状記憶樹脂の内一つ以上の材質から適宜に選択されて成形された線細工引張り弾性体９の長手方向両側端部には、爪両側部を係止できる対称的に内方に向いたフック状の爪掛け係止部３が一体で成形され具備されたことで、巻き爪矯正が行われることを特徴とする。【００１５】  請求項５の発明の構成によれば、重症化で強く湾曲した巻き爪を矯正治療する場合、矯正治療中において、修復される経時的な形状変化のうち、湾曲状変形した爪の円弧長は、略平状へと矯正治療が進むに従い大きく変化するので、その都度、矯正具の爪幅方向長を調整するために、矯正具のサイズ変更の脱着が必要になる。
これは患者の経済的な負担ばかりでなく、頻繁な矯正具の脱着を行うことで爪への負担も大きく、施術中に爪甲２６や爪郭軟部組織を裂傷させたりする危険がある。【００１６】  本発明の巻き爪矯正具Ｅは、耐歪曲矯正部７に穿設された摺動孔８内に挿通された爪掛け係止部３へ付設されている引張り弾性体９が、伸縮自在に対応できるので、巻き爪の円弧長に変化が生じても引張り弾性体９が爪幅長さに対応できるので矯正具の取替えが不要なため、矯正具の脱着回数の削減ができ、また耐歪曲部２の機能は維持されていることから矯正治療中の二次的爪変形を抑制でき、また患者の経済的且つ肉体的な負担が少ない安全な矯正治療が行える利点もある。
【発明を実施するための形態】
【００１７】  以下、本発明を実施するための形態について適宜図面を参照しながら説明するが、本実施形態は以下の内容に限定されるものではなく、本発明の要旨を損なわない範囲で任意に変更して実施可能である。
【実施形態】
【実施例１】
【００１８】  本願の請求項１の発明にかかわる第一の実施の形態について、図１を参照して説明する  。
図１は本発明の巻き爪矯正具Ａを表した一例であり、図１（ａ）斜視図に示された、矯  正部１はステンレス製で厚さ０．３ｍｍ、径２．５φ、長さ５ｍｍ、長手方向に伸びた  スリットの長さ５ｍｍ、該スリット開口幅０．３ｍｍ、外形は短手方向断面Ｃ字状の筒  型とした。なお使用される材はステンレス鋼だけでなく、挟持に適した弾性能を有する  金属や樹脂から適宜選択されてもよい。【００１９】  耐歪曲部２はステンレス鋼を用いて厚さ０．５ｍｍ、幅３ｍｍ、長さ１５ｍｍで形成されている。この該耐歪曲部２は弾性材を用いるとよく、また使用材に関しては金属やプラスチックや形状記憶合金や形状記憶樹脂のいずれから適宜に選択され用いてもよく、前述の材を複合的に結合や混合や覆設や巻装することで耐歪曲性を強化してもよい。【００２０】  装着は図１（ｂ）装着例で示されるように用いるのだが、矯正部１の係止方法は、左右の夫々爪縁部１１と耐歪曲部２の両側夫々略端部側とを、逆作用ピンセットを用いて開口された矯正部１のスリットへ嵌挿した後、該逆作用ピンセットを脱着して該スリットを閉口し括着することで挟着される。【００２１】  なお該耐歪曲部２は以下の請求項２〜５の発明においても、爪甲の形状を鑑みられての湾曲状の形成は爪の負担を軽減するのでよい。また、該耐歪曲部２の耐歪曲力を完全に抑制するよりも、足運び時に起こる爪の変形を許容できる弾力性を持ったほうが、爪の突っ張り感も無く、滑らかな足運びを妨げないのでよい。
【実施例２】
【００２２】  請求項２の発明にかかわる第二の実施の形態について、図２を参照して説明する。図２は本発明の巻き爪矯正具Ｂを表した一例であり、図２（ａ）斜視図に示された、矯正部１に具備された係止部３は厚さ０．２ｍｍ、幅０．５ｍｍでフック状に成形され、またフック状の反対側に設けられている弾性取手部４は厚さ０．２ｍｍ、幅３ｍｍ、長さ７ｍｍの板状で、係止部３と弾性取手部４から成る矯正部１はステンレス製で一体成形されている。耐歪曲部２は厚さ０．５ｍｍ、幅３ｍｍ、長さ１５ｍｍ、ステンレス製で成形されている。
なお、使用材は前述のほか、金属または樹脂または形状記憶合金または形状記憶樹脂またはエマストラーなどの材から適宜に選択され用いられてもよい。【００２３】  装着は図２（ｂ）装着例の正面図と（ｃ）装着例の斜視図で示されるように用いるのだが、例えば該矯正部１の係止方法は、矯正部１に具備されたフック状係止部３を用いて、巻き爪を発症している爪縁部２２に引っ掛けた後、該矯正部１に具備された弾性取手部４を用いて爪形を矯正する外方へ引き上げるように爪甲面側へ倒して巻き爪を略平状へ付勢し、弾性取手部４を爪甲面へ接着剤を用いて固着し、該矯正部１を固定する。なお矯正部１は左右の爪縁部２２−２２間で対向するよう２つで一対を成すように前述の装着方法を用いて装着される。
耐歪曲部２は、爪甲２６面側で、且つ左右夫々に配設された両側該弾性取手部４−４間に渡設するよう接着剤を用いて固着される。なお、耐歪曲部２の成形において使用される材料は、当然、前述の使用材のほか、金属または樹脂または形状記憶合金または形状記憶樹脂またはエマストラーなどの材から用いられてもよく、また前述材料から複数を適宜選択され、結合や混合または覆設や巻装することで耐歪曲性を強化してもよい。
【実施例３】
【００２４】  請求項３の発明にかかわる第三の実施の形態について、図３を参照して説明する。
図３は本発明の巻き爪矯正具Ｃを表した一例であり、図３（ａ）斜視図に示された、耐歪曲部２は厚さ０．５ｍｍ、幅３ｍｍ、長さ７ｍｍ、弾性矯正部５は厚さ０．２ｍｍ、幅３ｍｍ、長さ５ｍｍ、いずれもステンレス製で一体成形されるが、耐歪曲部２においては耐歪曲性を強化するために金属または樹脂または形状記憶合金または形状記憶樹脂またはエマストラーなどの材から適宜に複合的に選択されて形成するか、または左記材から適宜選択された材を用いて覆設や結合や混合や巻装してもよい。【００２５】  装着手段は図３（ｂ）装着例の正面図と（ｃ）装着例の平面図で示すように、巻き爪矯正具Ｃの左右の両側端部に配設された弾性矯正部５を、爪内方向に湾曲状に変形した左右の夫々爪縁部２２と腫脹した爪郭部２１との間に介挿するように用いる。なお、装着においては接着剤を用いて爪甲面へ固定するのがい。化学的接合の固定方法は機械的接合に比べ表面への突出もなく、爪郭が腫脹している場合は接触痛も起こしにくく適している。【００２６】  本発明の弾性矯正部５は、該耐歪曲部２から突出した片持ち弾性形状を成しているので、該耐歪曲部２との接合部である支点からの荷重点距離が短く設計できるため、強い復元力を得ることは容易である。そのことから弾性矯正部５の厚さは薄く設計できるため、腫脹している爪郭２１への接触も少なく済むので、巻き爪の変形が強く表れている爪縁部２２の端部へ達する深度まで挿入して弾性矯正部５を装着できるため、矯正治療が困難であった爪縁端部の変形にまで矯正作用が働くようにできることで、早期回復にも貢献する。
【実施例４】
【００２７】  請求項４の発明にかかわる第四の実施の形態について、図４を参照して説明する。
図４は本発明の巻き爪矯正具Ｄを表した一例であり、図４（ａ）斜視図に示された、耐歪曲部２は厚さ０．５ｍｍ、幅３ｍｍ、長さ７ｍｍ、該耐歪曲部２の長手方向の両側端部に具備している弾性矯正部５は厚さ０．２ｍｍ、幅３ｍｍ、長さ２ｍｍ、いずれもステンレス製で一体成形されるが、耐歪曲部２においては耐歪曲性を強化するために金属または樹脂または形状記憶合金または形状記憶樹脂またはエマストラーなどの材から適宜に複合的に選択され、覆設や結合や混合や巻装してもよい。
塑性加工で挟持できる係止部３は真鍮製で厚さ０．３ｍｍ、径２．５φ、長さ５ｍｍ、長手方向スリット長さ５ｍｍ、該スリット開口幅１ｍｍ〜１．５ｍｍ、外形は短手方向断面Ｃ字状の筒型とした。なお使用される材は真鍮鋼だけでなく、挟持に適した、例えば塑性加工であれば塑性能を有する金属や樹脂材から、例えば復元応力で挟持するのであれば弾性応力を有する金属や樹脂から、夫々に材料は適宜選択されて用いるとよい。【００２８】  装着手段は図４（ｂ）装着例の正面図と（ｃ）装着例の斜視図で示すように、耐歪曲性矯正部７の係止の仕方は、爪の略先端側で且つ爪甲２６の表面へ、爪先からはみ出さないように接着剤を用いて固着し、塑性加工で挟持できる断面略Ｃ字状に形成された係止部３に具備するスリットを用いて、爪の先端側から爪の付け根方向へ該耐歪曲性矯正部７の左右端部と左右爪縁部をそれぞれ挟むように嵌着した後、係止部３を塑性加工で挟着させるため挟持具を用いて挟圧して、巻き爪矯正具Ｄと巻き爪とが一体化されて用いられる。
【実施例５】
【００２９】  請求項５の発明にかかわる第五の実施の形態について、図５を参照して説明する。
図５は本発明の巻き爪矯正具Ｅを表した一例であり、図５（ａ）平面図、図５（ｂ）は（ａ）におけるＡ−Ａ線断面図である。耐歪曲部２は高さ２．２ｍｍ、幅３ｍｍ、長さ７ｍｍ、長手方向に穿設された摺動孔８は長さ７ｍｍ、径１．２φ、該耐歪曲部２の長手方向の両側端部に具備している左右夫々の矯正部１は厚さ０．２ｍｍ、幅３ｍｍ、長さ５ｍｍ、該摺動孔８内に挿通された爪掛け係止部３の全長１５ｍｍ、線径０．１ｍｍ、係止部３へ付設されている引張り弾性体９の外形１ｍｍ、自由長６ｍｍ、最大伸び長さ５ｍｍで構成され、ステンレス製で成形されるが、いずれも弾性材を用いるとよく、前述の使用材のほかに金属やプラスチックや形状記憶合金や形状記憶樹脂のいずれから適宜に選択され用いてもよい。【００３０】  図５（ｃ）巻き爪２５へ装着した一例の正面図、図５（ｄ）巻き爪が略修復された一例の正面図で、いずれも本発明の巻き爪矯正具Ｅの使用例を示している図である。
図５（ｃ）に示されたとおり、巻き爪２５へ装着された巻き爪矯正具Ｅは、係止部３に具備されたフック状を巻き爪２５が発症している爪縁部２２へ引っ掛けて係止する際、係止部３に付設された引張り弾性体９を充分に伸ばしながら左右のどちらか片側の爪縁部２２から順にもう一方の爪縁部２２へフックを用いて係止するが、爪郭２１の腫脹が悪化している場合には局所麻酔を用いて患者の負担を軽くしてから装着するとよい。なお、弾性矯正部７は爪甲２６面部に接着剤を用いて固定されると、矯正効果が安定して発揮されるのでよい。【００３１】  また、図５（ｄ）に示されたように巻き爪２２が修復されると、内方向に湾曲していた爪が略平状となり、それに伴って係止部３の全長は短く済むことから、矯正具幅長が固定型の矯正具では爪幅に適応した矯正具に変更する必要があったが、本発明の巻き爪矯正具Ｅは係止部３に付設された引張り弾性体９が常にテンションを保持しながら収縮するため、該フック状が外れることなく、係止部３の全幅長も引張り弾性体９の伸縮により常に最適長に保たれた状態で矯正治療が行われる。
【発明の効果】
【００３２】  以上のように本発明によれば、矯正治療中に発症する二次的な爪の歪曲変形を抑制した矯正ができることで、巻き爪部だけでなく爪縁から連なる爪甲面まで、平滑状に整った爪形状態へ回復することのできる、巻き爪矯正具に関する。
【産業上の利用可能性】
【００３３】  医療用器具および美容器具の産業界において利用できるものである。
【図面の簡単な説明】
【００３４】
【図１】本発明巻き爪矯正具Ａを示し、（ａ）は斜視図、（ｂ）は装着例の斜視図である。
【図２】本発明の実施例２巻き爪矯正具Ｂを示し、（ａ）は斜視図、（ｂ）は装着時の正面図、（ｃ）は装着時の斜視図である。
【図３】本発明の実施例３巻き爪矯正具Ｃを示し、（ａ）は斜視図、（ｂ）は巻き爪へ装着時の正面図、（ｃ）は装着時の平面図である。
【図４】本発明の実施例４巻き爪矯正具Ｄを示し、（ａ）は斜視図、（ｂ）は巻き爪へ装着時の正面図、（ｃ）は矯正中の斜視図である。
【図５】本発明の実施例５巻き爪矯正具Ｅを示し、（ａ）は平面図、（ｂ）は（ａ）におけるＡ−Ａ線断面図、（ｃ）は巻き爪へ装着時の正面図、（ｄ）は略平滑状に修復中の正面図である。
【図６】固定型巻き爪矯正具を使用した際の（ａ）は巻き爪へ装着時の正面図と外圧方向、（ｂ）は装着時に外圧により屈曲状に二次変形した爪甲の一例。
【図７】引張り弾性型巻き爪矯正具を使用した際の（ａ）は巻き爪へ装着時の正面図、（ｂ）は装着時に歪曲状へ二次変形した爪甲の一例。
【図８】つま先部が狭い靴を履いたときの指の状態を表した正面図である。
【図９】第一趾爪の平面図である。
【符号の説明】
【００３５】Ａ、Ｂ、Ｃ、Ｄ、Ｅ  巻き爪矯正具
１  矯正部
２  耐歪曲部
３  係止部
４  弾性取手部
５  弾性矯正部
６  挟持型係止部
７  耐歪曲矯正部
８  摺動孔
９  引張り弾性体
２１  爪郭部
２２  爪縁部
２３  爪溝部
２４  爪の先端側
２６  爪甲
２７  二次的な爪変形部
【図１】
2015089503.tif 000003
【図２】
2015089503.tif 000004
【図３】
2015089503.tif 000005
【図４】
2015089503.tif 000006
【図５】
2015089503.tif 000007
【図６】
2015089503.tif 000008
【図７】
2015089503.tif 000009
【図８】
2015089503.tif 000010
【図９】
2015089503.tif 000011